(57)【要約】【課題】ユーザの視聴時間が多いチャンネルから順番に記号キーを割り振り、ユーザが選局しづらくなるという不都合を解消した放送受信装置を提供する。【解決手段】数字キー２０１〜２０９が押下されてチャンネルが選択されると、制御部２は、タイマー回路２Ａにおいて、そのチャンネルが選択されている時間の計測を開始する。そして、チャンネルが切り替わると、制御部２は、タイマー回路２Ａのタイマーをストップする。これによって、チャンネルが選択されている時間が視聴時間として計測される。そして、制御部２は、視聴時間の累積視聴時間の多いチャンネルから順番に、チャンネルを小さい数字の数字キー２０１〜２０９から順番に新たに対応付ける（図６）。この場合、リモコン２００で数字キー２０１〜２０９のいずれか１つのキーが押下されると、チューナ３は、その数字キーに新たに対応付けられたチャンネルのテレビ放送信号を抽出する。【選択図】  図６
2008187507.tif 000002
【特許請求の範囲】
【請求項１】
記号で表される複数の記号キーを有する操作手段と、
テレビ放送信号を受信し、前記操作手段で操作された記号キーに対応するチャンネルのテレビ放送信号を抽出する受信手段と、
前記受信手段で抽出された前記チャンネルのテレビ放送信号を処理して、その映像を表示する表示手段と、を備えたディジタルテレビジョンにおいて、
前記操作手段で前記記号キーが操作されて前記チャンネルが選択される毎に、そのチャンネルが選択されている時間を計測して、その時間の累積時間を算出する計測手段を備え、
前記受信手段は、前記計測手段が前記累積時間を算出すると、装置本体の電源オンを待ち受けるスタンバイ時に、前記累積時間の多いチャンネルから順番に、前記記号の順番で前記記号キーを新たに対応付け、
前記累積時間の多いチャンネルから順番に、前記記号の順番で前記記号キーを新たに対応付けた対応関係を示すＯＳＤ信号を生成するＯＳＤ手段を備え、
前記表示手段は、前記ＯＳＤ手段が生成した前記ＯＳＤ信号を処理して、その映像を表示し、
前記受信手段は、前記操作手段で前記記号キーが押下されると、その記号キーに新たに対応付けられたチャンネルのテレビ放送信号を抽出するディジタルテレビジョン。
【請求項２】
記号で表される複数の記号キーを有する操作手段と、
テレビ放送信号を受信し、前記操作手段で操作された記号キーに対応するチャンネルのテレビ放送信号を抽出する受信手段と、
前記受信手段で抽出された前記チャンネルのテレビ放送信号を処理して、その映像を表示する表示手段と、を備えた放送受信装置において、
前記操作手段で前記記号キーが操作されて前記チャンネルが選択される毎に、そのチャンネルが選択されている時間を計測して、その時間の累積時間を算出する計測手段を備え、
前記受信手段は、
前記計測手段が前記累積時間を算出すると、前記累積時間の多いチャンネルから順番に、前記記号の順番で前記記号キーを新たに対応付け、
前記操作手段で前記記号キーが押下されると、その記号キーに新たに対応付けられたチャンネルのテレビ放送信号を抽出する放送受信装置。
【請求項３】
前記受信手段は、装置本体の電源オンを待ち受けるスタンバイ時に、前記累積時間の多いチャンネルから順番に、前記記号の順番で前記記号キーを新たに対応付ける請求項２に記載の放送受信装置。
【請求項４】
前記累積時間の多いチャンネルから順番に、前記記号の順番で前記記号キーを新たに対応付けた対応関係を示すＯＳＤ信号を生成するＯＳＤ手段を備え、
前記表示手段は、前記ＯＳＤ手段が生成した前記ＯＳＤ信号を処理して、その映像を表示する請求項２又は３に記載の放送受信装置。
【発明の詳細な説明】
【技術分野】
【０００１】
本発明は、テレビ放送信号を受信し、選択されているチャンネルのテレビ放送信号の映像を表示出力する放送受信装置に関し、特に選択可能なチャンネル数が多い放送受信装置に関するものである。
【背景技術】
【０００２】
近年、ＴＶ（Television）放送は、地上波放送だけでなく、衛星放送やＣＡＴＶ放送等のように多様化してきている。さらに、近年、ディジタル圧縮符号化技術を利用して、映像信号等の圧縮、多重化伝送等を行うことにより、限られた周波数帯で多数の番組を効率的に伝送できるディジタル放送が注目されている。これらによって、ユーザが選択可能なチャンネル数（放送局数）は著しく増大してきている。例えば北米におけるＴＶＲＯ（衛星受信専用）放送システムにおいては、現在２０個以上の衛星が打ち上げられて運用されており、チャンネルの総数は２００以上となっている。
【０００３】
このようなＴＶ放送において、ユーザは、ＴＶ局から各家庭に配信された放送番組を自由に選択して視聴する。
一方、特許文献１では、番組選曲装置が提案されている。
【特許文献１】特開平７−１５６７７号公報
【発明の開示】
【発明が解決しようとする課題】
【０００４】
しかしながら、上述のようにチャンネル数が多くなると、ユーザは、自分の視聴したい内容の番組がどの衛星のどのチャンネルであるのか分からなくなる。そのため、チャンネル数が多くなった近年のＴＶ放送では、ユーザが選局しづらくなるという不都合が生じていた。
【０００５】
本発明はこのような従来の課題を解決しようとするものであり、ユーザの視聴時間が多いチャンネルから順番に記号キーを割り振り、ユーザが選局しづらくなるという不都合を解消した放送受信装置を提供することを目的とする。
【課題を解決するための手段】
【０００６】
本発明の放送受信装置は、前記課題を解決するために以下の構成を備えている。
【０００７】
（１）記号で表される複数の記号キーを有する操作手段と、
テレビ放送信号を受信し、前記操作手段で操作された記号キーに対応するチャンネルのテレビ放送信号を抽出する受信手段と、
前記受信手段で抽出された前記チャンネルのテレビ放送信号を処理して、その映像を表示する表示手段と、を備えた放送受信装置において、
前記操作手段で前記記号キーが操作されて前記チャンネルが選択される毎に、そのチャンネルが選択されている時間を計測して、その時間の累積時間を算出する計測手段を備え、
前記受信手段は、
前記計測手段が前記累積時間を算出すると、前記累積時間の多いチャンネルから順番に、前記記号の順番で前記記号キーを新たに対応付け、
前記操作手段で前記記号キーが押下されると、その記号キーに新たに対応付けられたチャンネルのテレビ放送信号を抽出する。
【０００８】
この構成において、放送受信装置は、例えばテレビ受像機、ＣＡＴＶの受信装置やＤＶＤプレーヤなどのセットトップボックスである。記号は、例えば言語、文字、又は数字である。
この構成においては、計測手段は、チャンネル毎に、そのチャンネルが選択された時間の累積時間を算出する。即ち、計測手段は、チャンネル毎に、そのチャンネルが視聴された視聴時間の累積視聴時間を算出している。そして、受信手段は、累積時間の多いチャンネルから順番に、即ち累積視聴時間の多いチャンネルから順番に、記号の順番で記号キーと対応付ける。即ち、順番の早い記号キーほど、累積視聴時間の多いチャンネルに割り振られる。
そして、操作手段で複数の記号キーのいずれか１つの記号キーが操作されると、受信手段は、その記号キーに新たに対応付けられたチャンネルのテレビ放送信号を抽出する。
これにより、チャンネル数が多くて、自分の視聴したい内容の番組がどの衛星のどのチャンネルであるのか分からなくなっても、記号キーのいずれかを操作するだけで、ユーザは、自分の視聴したい内容の番組を視聴することができる。特に、順番の早い記号キーを操作するほど、自分の視聴したい内容の番組を視聴できる確率が高くなる。
よって、チャンネル数が多くなった近年のＴＶ放送においても、ユーザが選局しづらくなるという不都合を解消できる。従って、ユーザの使い勝手を向上できる。
【０００９】
（２）前記受信手段は、装置本体の電源オンを待ち受けるスタンバイ時に、前記累積時間の多いチャンネルから順番に、前記記号の順番で前記記号キーを新たに対応付ける。
【００１０】
ユーザがチャンネル操作を行う電源オン時に上記（１）の記号キーの割り振りを行うと、記号キーとチャンネルとの関係が突如変更することになり、ユーザを混乱させる恐れがある。
この構成においては、チャンネル操作を行うことがないスタンバイ時に行う。
これにより、記号キーとチャンネルとの関係が突如変更されてしまうことによって引き起こされる混乱を防止できる。
【００１１】
（３）前記累積時間の多いチャンネルから順番に、前記記号の順番で前記記号キーを新たに対応付けた対応関係を示すＯＳＤ信号を生成するＯＳＤ手段を備え、
前記表示手段は、前記ＯＳＤ手段が生成した前記ＯＳＤ信号を処理して、その映像を表示する。
【００１２】
この構成により、ユーザは、どのチャンネルにどの記号キーが対応付けられているかを、表示手段で表示された対応関係から知ることができる。よって、チャンネル数が多くなった近年のＴＶ放送でにおいても、ユーザが選局しづらくなるという不都合を一層解消できる。従って、ユーザの使い勝手を一層向上できる。
【発明の効果】
【００１３】
この発明によれば、チャンネル数が多くなった近年のＴＶ放送においても、ユーザが選局しづらくなるという不都合を解消できる。
【発明を実施するための最良の形態】
【００１４】
以下、本発明の実施形態であるディジタルテレビジョンについて説明する。
【００１５】
図１は、本発明の実施形態であるディジタルテレビジョンの主要な構成を示すブロック図である。ディジタルテレビジョン（TV）１０１は、装置の各部の動作を制御する制御部２と、選択されたチャンネル（以下、CHと称する）のテレビ放送信号を抽出するチューナ３と、抽出したテレビ放送信号をディジタルデータに復調する復調部４と、復調したディジタルデータから映像データと音声データとを分離し、両データを伸長するデコーダ５と、所望のＯＳＤ（On  Screen  Display）画像と映像データに基づく映像とを合成する画像合成部６と、映像データと音声データとの信号をアナログの信号に変換するD／A変換部８と、ユーザの操作を受付ける操作部１１と、EPGデータを記憶するEPGデータメモリ１４と、制御プログラムを記憶する記憶部１５と、映像を画面上に表示する表示部３２と、音声を放音するスピーカ３１と、を備える。
なお、この実施形態において、放送局は、番組の他に、各チャンネルで放送されている番組の属性（番組名、出演者等）を示す番組情報を放送しているものとする。
【００１６】
記憶部１５は、例えばEEPROMで構成される。さらに、記憶部１５は、チャンネルとそのチャンネルが視聴された視聴時間の累積時間である累積視聴時間とを対応付けて記憶するテーブル１５Ａと、チャンネルとそのチャンネルに対応する数字キー２０１〜２０９（後述の図２参照）とを対応付けて記憶するテーブル１５Ｂと、を有する。両テーブルについては、後述の図４及び図６において詳述する。
【００１７】
制御部２は、例えばマイクロコンピュータで構成される。制御部２は、上記制御プログラムにより処理されるデータ等を展開するためのワークフィールドとしてのRAM（不図示）と、チャンネルが選択されている時間を視聴時間として計測するタイマー回路２Ａ、２Ｂと、を内蔵する。このタイマー回路２Ａ、２Ｂは、後述の図３で用いるための回路である。タイマー回路２Ｂは、タイマー回路２Ａが使用されている場合に使用する予備回路である。
【００１８】
操作部１１に対し、EPGの表示、電源のON／OFF／スタンバイ、チャンネルの選択、音量の調整等の命令（コマンド）が入力されると、操作部１１は、該命令を制御部２に伝送する。制御部２は、該命令を受信すると、該命令に応じた動作を行う。
【００１９】
また、操作部１１は、リモコン２００からの信号を受信する受信部を有する。操作部１１とリモコン２００とは、同様のキーを有する。
【００２０】
図２は、図１で示されるリモコン２００の外観図である。リモコン２００は、１〜９までの数字の入力を受付け、所望の番組のチャンネルを選択するための数字キー２０１〜２０９と、装置本体の電源オン状態とスタンバイ状態とを切替えるための電源キー２１０と、通常モードとお好みチャンネルモードとを切替えるためのモード切替キー２１１と、ユーザが操作したキーに応じた命令を送信する送信部２１２と、を有している。
モード切替キー２１１で通常モードに切替えられている場合、ユーザは、所望の番組が放送されるチャンネルの数字を直接入力する。例えば所望の番組のチャンネルが１１５ＣＨであれば、ユーザは、「１１５」と数字キー２０１を２回押下し、さらに、数字キー２０５を１回押下する。モード切替キー２１１でお好みチャンネルモードに切替えられている場合については、後に詳述する。
ここで、数字キーが、本発明の「記号キー」に相当する。
【００２１】
チューナ３は、アンテナ３０で受信しているテレビ放送信号から、制御部２の指示に基づいて、選択されているチャンネルのテレビ放送信号を抽出し、出力する。
復調部４は、チューナ３から出力されたテレビ放送信号をディジタルデータであるトランスポートストリームに復調し、出力する。
【００２２】
デコーダ５は、復調部４から出力されたトランスポートストリームから、映像データと音声データとEPGデータとを分離抽出する。ここで、分離抽出された映像データは、例えばMPEGでエンコードされている。そして、デコーダ５は、映像データをデコードし、出力する。出力された映像データは、画像合成部６を介して、D／A変換部８に入力される。また、デコーダ５は、音声データをデコードし、D／A変換部８に出力する。
【００２３】
画像合成部６は、不図示の画像メモリを内蔵する。画像合成部６は、制御部２の指示に基づいて、映像データに基づく映像と、画像メモリが記憶している文字又は図形を表すＯＳＤ画像と、を合成する。画像合成部６は、制御部２の指示に基づいて、その合成された合成データをD／A変換部８に出力する。
【００２４】
D／A変換部８は、デコーダ５が出力した映像データ（合成データを含む）の信号をアナログの再生映像信号に変換し、表示部３２に出力する。表示部３２は、例えばLCD（Liquid Crystal Display）である。また、D／A変換部８は、デコーダ５が出力した音声データの信号をアナログの再生音声信号に変換し、スピーカ３１に出力する。
ユーザは、表示部３２およびスピーカ３１において、D／A変換部８から出力された映像信号に基づく映像と音声信号に基づく音声とを視聴することができる。
【００２５】
ここで、表示部３２が、本発明の「表示手段」に相当する。制御部２が、本発明の「計測手段」に相当する。チューナ３が、本発明の「受信手段」に相当する。画像合成部６が、本発明の「ＯＳＤ手段」に相当する。
【００２６】
なお、デコーダ５は、上記で分離抽出されたEPGデータを制御部２に出力する。EPGデータには、各チャンネルで放送されている番組の属性（番組名、出演者等）が記述されている。そして、制御部２は、デコーダ５から出力されたEPGデータをEPGデータメモリ１４に記録する。EPGデータメモリ１４は、例えばEEPROMで構成される。
【００２７】
ここで、ユーザがチャンネルを選択してテレビ番組を視聴する第１の場面と、チャンネルを数字キー２０１〜２０９に割り付ける第２の場面と、に分けて説明する。
【００２８】
図３は、本発明の実施形態であるディジタルテレビジョンの制御部がチャンネル選択時に行う動作を示すフローチャートである。この動作は、上記第１の場面で行われる動作である。また、この動作では、説明を簡単に行うため、モード切替キー２１１において通常モードに切替えられている場合を想定することとする。
なお、この動作は、モード切替キー２１１においてお好みモードに切替えられている場合についても適用できる。
【００２９】
数字キー２０１〜２０９が押下されてチャンネルが選択されると、制御部２は、タイマー回路２Ａにおいて、そのチャンネルが選択されている時間の計測を開始する（Ｓ１）。
【００３０】
そして、チャンネルが切り替わると（Ｓ２）、制御部２は、タイマー回路２Ａのタイマーをストップする（Ｓ３）。Ｓ１乃至Ｓ３によって、チャンネルが選択されている時間が視聴時間として計測される。
【００３１】
図４は、本発明の実施形態であるディジタルテレビジョンの記憶部が記憶するテーブル１５Ａの内容を示す図である。
最後に、制御部２は、計測した視聴時間で、テーブル１５Ａに記憶されている累積視聴時間を最新の情報に更新する（Ｓ４）。そして、制御部２は、本処理を終了する。また、制御部２は、数字キー２０１〜２０９が押下されてチャンネルが選択される毎に、Ｓ１〜Ｓ４の動作を繰り返す。即ち、Ｓ２においてチャンネルが切り替わって新たなチャンネルになると、制御部２は、上記Ｓ３の処理を行うとともに、タイマー回路２Ｂにおいて、その新たなチャンネルが選択されている時間の計測を開始する（Ｓ１）。ここで、タイマー回路２Ｂは、タイマー回路２Ａが使用されているため、使用されている。
【００３２】
以上により、テーブル１５Ａが例えば図４に示す内容で作成される。
なお、Ｓ４では、更新により、視聴時間の累積時間が算出される。
【００３３】
次に、チャンネルを数字キー２０１〜２０９に割り付ける第２の場面について説明する。
【００３４】
図５は、本発明の実施形態であるディジタルテレビジョンの制御部がスタンバイ時に行う動作を示すフローチャートである。この動作は、ユーザが電源キー２１０を押下して装置本体１０１をスタンバイ状態にした時の動作である。ここで、スタンバイ状態では、制御部２及び記憶部１５にのみ、電流が供給される。
【００３５】
装置本体１０１がスタンバイ状態になると、制御部２は、記憶部１５のテーブル１５Ａを参照する（Ｓ１０１）。
【００３６】
制御部２は、図４に示すテーブル１５Ａを、累積視聴時間の大きい順にソート（整列）する（Ｓ１０２）。ここで、図４は、ソート済みのテーブル１５Ａが示されている。Ｓ１０２を設けた理由は、Ｓ１０３の処理を軽くするためである。
【００３７】
そして、制御部２は、図４で示される累積視聴時間の多いチャンネルから順番に、チャンネルを小さい数字の数字キー２０１〜２０９から順番に新たに対応付ける（Ｓ１０３）。そして、制御部２は、本処理を終了する。ここで、制御部２は、対応付けした結果を、図６に示すようにテーブル１５Ｂに記憶させておく。
【００３８】
図６は、本発明の実施形態であるディジタルテレビジョンの記憶部が記憶するテーブル１５Ｂの内容を示す図である。図６に示すように、順番の小さい数字キーほど、累積視聴時間の多いチャンネルと対応付けられている。
なお、図６で示されるチャンネルは、図４で示されるチャンネルと同じである。
【００３９】
これにより、ユーザが電源キー２１０を押下してディジタルテレビジョン１０１が電源オン状態になると、ディジタルテレビジョン１０１は、次のように動作する。制御部２は、モード切替キー２１１においてお好みチャンネルモードに切替えられている場合、図６で示されるテーブル１５Ｂの内容に基づいてチューナ３に指示する。この場合、リモコン２００で数字キー２０１〜２０９のいずれか１つのキーが押下されると、チューナ３は、その数字キーに新たに対応付けられたチャンネルのテレビ放送信号を抽出する。例えば、数字キー２０１が押下されると、チューナ３は、１００チャンネルのテレビ放送信号を抽出する。同様に、数字キー２０２が押下されると、チューナ３は、１１５チャンネルのテレビ放送信号を抽出する。
【００４０】
これにより、チャンネル数が多くて、自分の視聴したい内容の番組がどの衛星のどのチャンネルであるのか分からなくなっても、数字キー２０１〜２０９のいずれかを押下するだけで、ユーザは、自分の視聴したい内容の番組を視聴することができる。特に、数字の小さい数字キー（例えば数字キー２０１や２０２）を操作するほど、自分の視聴したい内容の番組を視聴できる確率が高くなる。
【００４１】
よって、チャンネル数が多くなった近年のＴＶ放送においても、ユーザが選局しづらくなるという不都合を解消できる。従って、ユーザの使い勝手を向上できる。
また、チャンネル操作を行うことがないスタンバイ時に数字キー２０１〜２０９の割り振りを行っているため、数字キー２０１〜２０９とチャンネルとの関係が突如変更されてしまうことによって引き起こされる混乱を防止できる。
【００４２】
なお、この実施形態では、スタンバイ時に図５の動作を行っているが、実施の際は、その他のタイミングで行って構わない。
【００４３】
また、本発明の実施形態は、以下の変形例を採用することができる。
【００４４】
（第１変形例）
図７は、表示部３２で表示される対応関係の表示の一例を示す図である。第２の場面で、チャンネルを数字キー２０１〜２０９に割り付けた後、図４に示すテーブル１５Ａの内容と図６に示すテーブル１５Ｂの内容とを表示部３２で表示しても良い。
【００４５】
この構成について詳述する。ユーザが電源キー２１０を押下してディジタルテレビジョン１０１が電源オン状態になると、制御部２は、図４に示すテーブル１５Ａの内容と図６に示すテーブル１５Ｂの内容とを画像合成部６の画像メモリに記録する。これにより、画像合成部６は、制御部２の指示に基づいて、映像データに基づく映像と、図４に示すテーブル１５Ａの内容と図６に示すテーブル１５Ｂの内容とを示すＯＳＤ画像と、を合成する。画像合成部６は、制御部２の指示に基づいて、その合成された合成データをD／A変換部８に出力する。この結果、図７に示す対応関係が表示部３２で表示される。
【００４６】
これにより、ユーザは、どのチャンネルにどの数字キー２０１〜２０９が対応付けられているかをその対応関係から知ることができる。よって、チャンネル数が多くなった近年のＴＶ放送でにおいても、ユーザが選局しづらくなるという不都合を一層解消できる。従って、ユーザの使い勝手を一層向上できる。
【００４７】
なお、この変形例では、図７において図４に示すテーブル１５Ａの内容と図６に示すテーブル１５Ｂの内容とを表示部３２で表示しているが、実施の際は、図６に示すテーブル１５Ｂの内容だけ表示しても構わない。
【図面の簡単な説明】
【００４８】
【図１】本発明の実施形態であるディジタルテレビジョンの主要な構成を示すブロック図
【図２】図１で示されるリモコン２００の外観図
【図３】本発明の実施形態であるディジタルテレビジョンの制御部がチャンネル選択時に行う動作を示すフローチャート
【図４】本発明の実施形態であるディジタルテレビジョンの記憶部が記憶するテーブル１５Ａの内容を示す図
【図５】本発明の実施形態であるディジタルテレビジョンの制御部がスタンバイ時に行う動作を示すフローチャート
【図６】本発明の実施形態であるディジタルテレビジョンの記憶部が記憶するテーブル１５Ｂの内容を示す図
【図７】表示部３２で表示される対応関係の表示の一例を示す図
【符号の説明】
【００４９】
２−制御部
３−チューナ
４−復調部
５−デコーダ
６−画像合成部
１１−操作部
１５−記憶部
３０−アンテナ
３１−スピーカ
３２−表示部
１０１−ディジタルテレビジョン
２００−リモコン
２０１〜２０９−数字キー
２１０−電源キー
２１１−モード切替キー
２１２−送信部
【図１】
2008187507.tif 000003
【図２】
2008187507.tif 000004
【図３】
2008187507.tif 000005
【図４】
2008187507.tif 000006
【図５】
2008187507.tif 000007
【図６】
2008187507.tif 000008
【図７】
2008187507.tif 000009